(57)【要約】【課題】  部品点数を少なくしてキーボードの組立性の向上を図ることができ、また、キー押下圧を小さくすることができ、さらに、キー押下圧のばらつきを小さくして、スカート部分を偏心構造にしなくて済むキーボードおよびそのキーボードを有する電子機器を提供することを目的とする。【解決手段】  ケース９に回動自在に支持されたキートップ１４を有するキーボードであって、キートップ１４を軸支させる軸芯１３と、ケース９に軸芯１３を固定するためにケース９に配置した複数の固定部１１，１２と、キートップ１４を軸芯１３に軸支させるためキートップ１４に配置したつめ部１８，１９と、を有し、軸芯１３に複数のキートップ１４を軸支しており、被押圧部６に接触する押圧部２０の接触部２１、或いは押圧部に接触する被押圧部の接触部を半球状または半円柱状に形成する。【選択図】  図１
2007220405.tif 000002
【特許請求の範囲】
【請求項１】
ケースに回動自在に支持されたキートップを有し、
該キートップを押して回動させることで、該キートップの裏面に垂設された押圧部で、該押圧部の下方に配置された被押圧部を押圧し、該被押圧部の下方に配置されたスイッチ回路を接続させるキーボードであって、
前記キートップを軸支させる軸芯と、
前記ケースに前記軸芯を固定するために前記ケースに配置した複数の固定部と、
前記キートップを軸芯に軸支させるため前記キートップに配置したつめ部と、
を有し、
前記軸芯に複数のキートップを軸支しており、
前記被押圧部に接触する前記押圧部の接触部を半球状または半円柱状に形成することを特徴とするキーボード。
【請求項２】
ケースに回動自在に支持されたキートップを有し、
該キートップを押して回動させることで、該キートップの裏面に垂設された押圧部で、該押圧部の下方に配置された被押圧部を押圧し、該被押圧部の下方に配置されたスイッチ回路を接続させるキーボードであって、
前記キートップを軸支させる軸芯と、
前記ケースに前記軸芯を固定するために前記ケースに配置した複数の固定部と、
前記キートップを軸芯に軸支させるため前記キートップに配置したつめ部と、
を有し、
前記軸芯に複数のキートップを軸支しており、
前記押圧部に接触する前記被押圧部の接触部を半球状または半円柱状に形成することを特徴とするキーボード。
【請求項３】
請求項１記載のキーボードにおいて、
前記押圧部に接触する前記被押圧部の接触部にプレートを設けることを特徴とするキーボード。
【請求項４】
請求項１又は請求項３に記載のキーボードにおいて、
前記押圧部に接触する前記被押圧部の接触部は、前記押圧部の接触部が当接する平面を有し、該平面は、前記スイッチ回路が形成された基板面に対して傾斜されていることを特徴とするキーボード。
【請求項５】
請求項２に記載のキーボードにおいて、
前記被押圧部に接触する前記押圧部の接触部は、前記被押圧部の接触部が当接する平面を有し、該平面は、前記スイッチ回路が形成された基板面に対して傾斜されていることを特徴とするキーボード。
【請求項６】
請求項１乃至請求項５のいずれかに記載のキーボードを有することを特徴とする電子機器。
【発明の詳細な説明】
【技術分野】
【０００１】
本発明はキーボードおよびキーボードを有する電子機器に関するものである。
【背景技術】
【０００２】
電子機器などに用いられている薄型のキーボードは、現在パンタグラフ構造のキーボードが主流である。しかし、パンタグラフ構造のキーボードは、ストロークが大きく携帯機器に使用されているもので２．５ｍｍ程度ある。また、構造が複雑なので、部品点数が多くなり、組み立て性が悪い。パンタグラフ構造のキーボードに比べ部品点数を減らしたキーボードとして、基板に回動自在に軸支されたスタビライザーにキートップを取り付けた構造のピアノタッチ式のキーボードが開示されている（特許文献１参照）。このようなキーボードでは、キートップを押して回動させることで、キートップに形成された押圧部（垂設部）がその下の弾性変形部を押圧し、弾性変形部の下に配置されたスイッチ回路が接続される。
【特許文献１】特開２００５−９３１２９号公報
【発明の開示】
【発明が解決しようとする課題】
【０００３】
しかし、従来の技術では、キーボードの各キーごとに独立した部品を用いて構成しているので、キーの数が増れば増るほど部品点数が多くなる。部品点数が多ければ、そのキーボードの組み立て工数が多くなり、組み立て性が悪くなる。
【０００４】
また、従来の技術では、キートップに形成された押圧部と被押圧部である弾性変形部が面接合されており、押圧部と弾性変形部との接触面積が広いため、キートップを押して回動させるときのキー押下圧が大きくなる。これは、押圧部と弾性変形部との接触面積が広いと、その接触面での摩擦が大きくなることによるものである。
【０００５】
さらに、キートップを回動させる構成のキーボードでは、キートップの押圧部が弾性変形部を平行に押すわけではないため、キートップを押し下げる際のキー押下圧にばらつきが生じる。特に、キートップに形成された押圧部と弾性変形部とが面接合されている場合、キー押下圧のばらつきは大きくなる。このように、キー押下圧のばらつきが大きい場合、弾性変形部の接触面の周囲に形成されたスカート部分を偏心構造にする必要がある。つまり、キートップ回転軸に近い側のスカート部分の幅を広くし、その反対側（回転軸に遠い側）の幅を狭くする必要がある。
【０００６】
本発明は、上記した従来の問題が考慮されたものであり、部品点数を少なくしてキーボードの組み立て性の向上を図ることができ、また、キー押下圧を小さくすることができ、さらに、キー押下圧のばらつきを小さくして、スカート部分を偏心構造にしなくて済むキーボードおよびそのキーボードを有する電子機器を提供することを目的としている。
【課題を解決するための手段】
【０００７】
請求項１記載の発明は、ケースに回動自在に支持されたキートップを有し、該キートップを押して回動させることで、該キートップの裏面に垂設された押圧部で、該押圧部の下方に配置された被押圧部を押圧し、該被押圧部の下方に配置されたスイッチ回路を接続させるキーボードであって、前記キートップを軸支させる軸芯と、前記ケースに前記軸芯を固定するために前記ケースに配置した複数の固定部と、前記キートップを軸芯に軸支させるため前記キートップに配置したつめ部と、を有し、前記軸芯に複数のキートップを軸支しており、前記被押圧部に接触する前記押圧部の接触部を半球状または半円柱状に形成することを特徴とするキーボードである。
【０００８】
請求項２記載の発明は、ケースに回動自在に支持されたキートップを有し、該キートップを押して回動させることで、該キートップの裏面に垂設された押圧部で、該押圧部の下方に配置された被押圧部を押圧し、該被押圧部の下方に配置されたスイッチ回路を接続させるキーボードであって、前記キートップを軸支させる軸芯と、前記ケースに前記軸芯を固定するために前記ケースに配置した複数の固定部と、前記キートップを軸芯に軸支させるため前記キートップに配置したつめ部と、を有し、前記軸芯に複数のキートップを軸支しており、前記押圧部に接触する前記被押圧部の接触部を半球状または半円柱状に形成することを特徴とするキーボードである。
【０００９】
請求項３記載の発明は、請求項１記載のキーボードにおいて、前記押圧部に接触する前記被押圧部の接触部にプレートを設けることを特徴としている。
【００１０】
請求項４記載の発明は、請求項１又は請求項３に記載のキーボードにおいて、前記押圧部に接触する前記被押圧部の接触部は、前記押圧部の接触部が当接する平面を有し、該平面は、前記スイッチ回路が形成された基板面に対して傾斜されていることを特徴としている。
【００１１】
請求項５記載の発明は、請求項２に記載のキーボードにおいて、前記被押圧部に接触する前記押圧部の接触部は、前記被押圧部の接触部が当接する平面を有し、該平面は、前記スイッチ回路が形成された基板面に対して傾斜されていることを特徴としている。
【００１２】
請求項６記載の発明は、請求項１乃至請求項５のいずれかに記載のキーボードを有することを特徴とする電子機器である。
【発明の効果】
【００１３】
本発明に係るキーボードおよび電子機器によれば、部品点数を少なくしてキーボードの組み立て性の向上を図ることができ、また、キー押下圧を小さくすることができ、さらに、キー押下圧のばらつきを小さくして、スカート部分を偏心構造にしなくて済む。
【発明を実施するための最良の形態】
【００１４】
以下、本発明に係るキーボードおよび電子機器の第１，第２の実施の形態について、図面に基いて説明する。
【００１５】
［第１の実施の形態］
まず、第１の実施の形態について説明する。
図１は、第１の実施の形態におけるキーボードの断面図である。
【００１６】
図１に示すように、基板１は電子回路基板であり、基板１にはスイッチパターン２や電子回路が実装されている。基板１は、ゴム製のラバースイッチ３によって覆われている。ラバースイッチ３は、スカート部４と、導通部５と、被押圧部６と、板部７とから構成されている。被押圧部６に矢印８で示す方向に力が加わると、スカート部４が変形し被押圧部６が矢印８で示す方向に移動する。導通部５はカーボン印刷がされ、導電性の膜が形成されている。被押圧部６が基板１に当接する部分には、スイッチパターン２が形成されていて、導通部５がこのスイッチパターン２をショートさせ信号を変化させる。スカート部４は被押圧部６に連続して設けられ、肉薄になっている。スカート部４は弾性があり、定常状態では被押圧部６と基板１との間に空間ができている。被押圧部６に力が加わり、被押圧部６が移動するとスカート部４は変形し、被押圧部６に加わる力がなくなるとスカート部４は元の形状に戻る。ラバースイッチ３は、ケース９と基板１により挟まれ、特に板部７が押さえられ固定されている。
【００１７】
ケース９には、ストッパー受け部１０、第一の固定部１１、第二の固定部１２がある。第一の固定部１１、第二の固定部１２は対になって軸芯１３を挟みつけ固定する。軸芯１３は金属製又は、硬質材料で、断面が円の柱状体、またはワイヤーを用いる。キートップ１４にはストッパー１５が設けられている。このストッパー１５はストッパー受け１０と対向するように設け、キートップ１４がラバースイッチ３の力で押し戻されると当接する。第一端部１６と第二端部１７はキートップ１４の端部に位置し、キーの押し易さのために、軸芯１３からの距離が遠い第一端部１６の方が第二端部１７より凸状に高くなっている。又は、第一部端と第二部端が、同じ高さである平坦なキーでも良い。第一のつめ部１８と第二のつめ部１９はキートップ１４の裏側に設けられ、軸芯１３を挟み込んで軸支する。
【００１８】
図２は、第１の実施の形態におけるキーボードの押圧部２０の斜視図である。図２において、図１と同じものには同じ符号をつけている。
図１，図２に示すように、押圧部２０はキートップ１４の裏側に凸状に垂設された部位であり、その先端面（下端面）には、半球状の突起２１（接触部）が形成されている。半球状の突起２１は、押圧部２０の先端面の中央に形成されており、キートップ１４（押圧部２０）と一体成形されてなるものである。一方、半球状の突起２１に接触する被押圧部６の接触部（上端）には、平坦なプレート２２が設けられている。プレート２２は、ラバースイッチ３と比較して硬い材質の材料からなり、例えばプラスチックなどからなる。また、被押圧部６の先端、つまりプレート２２の上面は、平らな平面（被接触面）になっており、キートップ１４がストッパー１５とストッパー受け１０が当接して止まる位置にあるとき、半球状の突起２１は被押圧部６の被接触面に接触する。このとき、ラバースイッチ３の反発力により矢印８とは逆向きに力が加わっている。また、このとき、なるべく力の加わり方を均等にするために、被押圧部６（プレート２２）の被接触面は、スイッチパターン２が形成された基板１の平面（基板面）に対して傾斜されている。具体的には、被押圧部６の被接触面の傾き角度は、軸１３を中心とした法線の角度とする。
【００１９】
また、ケース９に停止台２５、キートップ１４の端部に停止面２６、を設けることで、ストッパー１５とストッパー受け１０の代わりにすることができる。つまり、所定の位置まで角度が戻ると停止台２５と停止面２６が当接して停止する。こうすると、かぎ状のストッパー１５より肉厚を厚くとることができるので、丈夫に作ることができる。
【００２０】
このような形態にすることで、キーストロークを小さくすることができる。例えば、本実施の形態では、キーストロークが０．６ｍｍから０．８ｍｍのキーボードを実現した。
【００２１】
図３は、第１の実施の形態におけるキーボードのキーの正面方向からの断面図である。図３において、図１，図２と同じものには同じ符号をつけている。
【００２２】
図３に示すように、第二の固定部１２は、図１に示す第一の固定部１１と対を成す部位であり、第一の固定部１１と対になってケース９に軸芯１３を固定するものである。第二のつめ部１９は、図１に示す第一のつめ部１８と対を成す部位であり、第一のつめ部１８と対になって軸芯１３に取り付けるためのつめである。また、第二のつめ部１９は、第二の固定部１２の両側にそれぞれ設けられている。なお、第二のつめ部１９は第二の固定部１２の内側又は外側の何れか一方に設けられていても良く、第二のつめ部１９を第二の固定部１２の外側に設けることでキーの外側方向のがたつきが少なくなる。なお、第一の固定部１１と第一のつめ部１８についても、上記した第二の固定部１２と第二のつめ部１９の構成と同様である。また、これら第一、第二のつめ部１８，１９はキーの位置あわせの効果ももつ。
【００２３】
図４は、第１の実施の形態におけるキーボードのケースの斜視図である。図４において、図１〜図３と同じものには同じ符号をつけている。また、説明のため本来複数あるケース９の固定部を１対のみ図示し説明する。
【００２４】
図４に示すように、ケース９に穴２７をキーボードの列だけ設ける。この穴は軸芯１３を固定するための穴である。スイッチ窓２８は貫通孔である。このスイッチ窓２８の貫通孔にラバースイッチ３の被押圧部６やスカート部４を通す。軸下窓２９は第一の固定部１１と第二の固定部１２の間にある貫通孔である。この軸下窓２９から軸芯１３があるかないか確認ができる。ケース９の裏返の作業する工程で、軸芯の有無を確認する事が出来る。枕部３０は軸芯１３をケース９から少し浮かせた状態にするための凸部であり、枕部３０の上面に軸芯１３が当接し、軸芯１３を安定して押さえることができるようになる。
【００２５】
また、枕部３０を設けず、ケース９にキートップ１４のつめ部が当たるところに穴を設けることでも対応できる。そうすると、軸芯１３はケース９に接することになり、薄型化がさらに可能となる。さらにはケース９の中に軸芯１３を埋め込み、つめ部で軸芯１３を軸支する場所に貫通工を設けることもできる。そうするとさらに薄型化ができる。
【００２６】
図５は、第１の実施の形態におけるキーボードのケースの断面図であり、図４の一点鎖線ＸＹで切断したときの断面図である。図５において、図１から図４と同じものには同じ符号をつけている。
【００２７】
図５に示すように、キーの高さｔ１は、ケース９からキートップ１４の頂上までの高さであり、約１．０ｍｍである。なお、キーの高さｔ１は、０．５ｍｍから１．５ｍｍ程度が使いやすい高さである。脇から見てもキーがあることが確認でき、あまり飛び出していないので、落としたときなどにも、ぶつかることも少ないのでキートップが外れにくい。
【００２８】
図６は、第１の実施の形態におけるキーボードのキー構造を模式的にした斜視図である。図６において、図１から図５と同じものには同じ符号をつけている。
【００２９】
図６に示すように、ケース９上に第一の固定部１１と第二の固定部１２の対が２組ある。ここに軸芯１３を挿入方向３３の矢印で示した方向に押し入れる。第一の固定部１１と第二の固定部１２は双方一時的にたわんで軸芯１３を挟み込む。キートップ組み方向３４の矢印の方向にキートップ１４をケース９に固定された軸芯１３にはめ込む。第一のつめ部１８と第二のつめ部１９は一時的にたわんで軸心１３を挟み込む。このようにして簡単にキートップ１４を取り付けることができる。スタビライザーなどを各キーごとにセットしなくてすむので組み込み性が改善されている。
【００３０】
図７は、第１の実施の形態におけるキーボードのキートップの斜視図である。図７において、図１から図６と同じものには同じ符号をつけている。
【００３１】
図７に示すように、キートップ１４の端部にストッパー１５を設けてある。このストッパー１５によりキートップ１４の回動の角度が制限される。ストッパー１５の幅は、キートップ１４の幅に合わせることもできる。キー凸部３５はキートップの上面端部に設けた軸芯１３と略平行な凸部である。軸芯と略平行にすることで、キートップ１４の回動方向に指を先導しやすくなる。また、部分的に凸部を設けることで、キーを認識しやすくなるので、隣り合うキーを重複して押すことが少なくなる。
【００３２】
上記した構成からなるキーボードによれば、キーボードを構成する部品点数が少ないので小型化に好適である。従来の技術のキーボードでは部品点数が多く、小型化した場合、部品自体も小型化するので、プラスチックの成型や組み立てが難しくなる。小型化した場合、なるべく部品点数の削減が望まれる。また、軸芯１３にキートップ１４を系合させるのに、固定部１１，１２を挟み込むようにつめ部１８，１９を設けることでキートップ１４の位置が固定され、また、部品点数が少なくなる事で、部品同士の結合箇所が減る為、各部品の取付クリアランスが少なくなる事で、ぐらつきの防止にもなる。また、ストッパー１５を設けることで、ラバースイッチ３からの反発力とストッパー１５での当接とでキーのぐらつきの防止にもなっている。
【００３３】
また、上記した構成からなるキーボードによれば、押圧部２０の下端面に半球状の突起２１があり、被押圧部６に接触する押圧部２０の接触部が半球状に形成された構成になっているため、押圧部２０と被押圧部６との接触が点接触になる。これによって、押圧部２０と被押圧部６との接触部における摩擦が小さくなり、キー押下圧が小さくなる。また、押圧部２０と被押圧部６との接触が点接触になると、キートップ１４を回動させて押し下げる際のキー押下圧のばらつきが小さくなるため、スカート部４を偏心構造にしなくて済む。これによって、ラバースイッチ３の単価が高くなることがなく、コストアップを抑えることができる。
【００３４】
さらに、上記した構成からなるキーボードによれば、押圧部２０の半球状の突起２１に接触する被押圧部６の接触部に、硬い材質の材料からなるプレート２２を設けた構成になっているため、押圧部２０の半球状の突起２１が、被押圧部６の被接触面を押圧する際、被押圧部６は、突起２１に接触した箇所が陥没せず、確実に押し下げられる。これによって、キートップ１４が押されたときに、導通部５を確実にスイッチパターン２に接続させることができる。
【００３５】
［第２の実施の形態］
次に、第２の実施の形態について説明する。なお、以下に説明する第２の実施の形態のうち上記した第１の実施の形態と同様な構成についてはその説明を省略する。
図８は、第２の実施の形態におけるキーボードの断面図であり、図９は第２の実施の形態における被押圧部の斜視図である。図８において、図１と同じものには同じ符号をつけている。
【００３６】
図８，図９に示すように、押圧部２０の先端面２２´（下端面）は平坦である。一方、平坦な押圧部２０の先端面に接触する被押圧部６の接触部（上端）には、半球状の突起２１´が形成されている。押圧部２０の先端（下端）は、平らな平面（先端面２２´）になっており、キートップ１４がストッパー１５とストッパー受け１０が当接して止まる位置にあるとき、半球状の突起２１´は押圧部２０の先端面２２´に接触する。また、このとき、なるべく力の加わり方を均等にするために、押圧部２０の先端面２２´は、スイッチパターン２が形成された基板１の平面（基板面）に対して傾斜されている。具体的には、押圧部２０の先端面２２´の傾き角度は軸１３を中心とした法線の角度とする。
【００３７】
上記した構成からなるキーボードによれば、上述した第１の実施の形態と同様の作用効果を奏することができる。
【００３８】
次に、上記した構成からなるキーボードを有する電子機器について説明する。
図１０は、本発明のキーボードを有する電子機器の斜視図である。
【００３９】
図１０に示すように、電子機器の筐体は、第一の筐体４５、第二の筐体４６の２体構造で、ヒンジ部４７で二つに折れるような構造である。第一の筐体４５内には表示部４８や電子回路が収められ、第二の筐体４６にはキーボード４９や電子回路や電池が収められている。このような、ＰＤＡ、パソコン、携帯電話、電子辞書などのキーボードとして用いることができる。
【００４０】
以上、本発明に係る第１、第２の実施の形態について説明したが、本発明は上記した実施の形態に限定されるものではなく、その趣旨を逸脱しない範囲で適宜変更可能である。例えば、上記した第１の実施の形態では、押圧部２０の先端面に半球状の突起２１が形成されており、上記した第２の実施の形態では、被押圧部６の先端面に半球状の突起２１´が形成されているが、本発明は、半球状の突起２１，２１´に代えて半円柱状の突起を形成してもよい。
【００４１】
図１１は、本発明の押圧部の他の例を示す斜視図であり、図１２は、本発明の被押圧部の他の例を示す斜視図である。
図１１，図１２に示すように、押圧部６の先端面、或いは被押圧部６の先端面には、半円柱状の突起１２１，１２１´が形成されている。この突起１２１，１２１´は、キートップ１４の回動軸（軸芯１３）と平行に延在されている。このような半円柱状の突起１２１，１２１´が形成されたキーボードによれば、押圧部２０と被押圧部６との接触が線接触になる。これによって、押圧部２０と被押圧部６との接触部における摩擦が小さくなり、キー押下圧が小さくなる。また、押圧部２０と被押圧部６との接触が線接触になると、キートップを回動させて押し下げる際のキー押下圧のばらつきが小さくなるため、スカート部分を偏心構造にしなくて済む。さらに、半円柱状の突起１２１，１２１´は、半球状の突起２１，２１´と比較して潰れ難い形状であるため、キートップ１４が押されたときに、突起１２１，１２１´が潰れて被押圧部６が下方に移動しないという不具合を防止することができ、キートップ１４が押されたときに、被押圧部６が確実に押し下げられ、スイッチ回路を確実に接続させることができる。
【００４２】
また、上記した第１の実施の形態では、押圧部２０の先端面に半球状の突起２１が形成されており、上記した第２の実施の形態では、被押圧部６の先端面に半球状の突起２１´が形成されているが、本発明は、押圧部２０の先端面や被押圧部６の先端面に突起２１，２１´を形成することなく、押圧部２０の先端面や被押圧部６の先端面を半球状或いは半円柱状に形成してもよい。
【００４３】
また、本発明は、軸芯１３をケース９に固定する固定部材が上記した実施の形態の構成と異なる構成であってもよい。図１３は、本発明のキートップの軸支構造の他の例を示す図である。図１３に示すように、かぎ状の対である固定部材を一体にしたもので、第三の固定部３７に貫通孔３６を設けた形状とした。このようにすることで、枕部３０のようにケース９との隙間を確保する部材が不要になる。また、いったんセットすれば外れなくなる。
【００４４】
また、本発明は、キートップ１４の構成が上記した実施の形態の構成と異なる構成であってもよい。図１４は、本発明のキートップの構造の他の例を示す斜視図である。図１４に示すように、キートップ１４の上面に凸面３８を設けた構造である。凸面３８を設けることで、キーピッチが短くなっても隣り合うキーを同時に押しにくできる。キーを押すときに、凸のトップに指の腹が当たるので、凸面３８のトップと隣のキーまでの間隔は、キー同士の間隔より大きいので、隣り合うキーを同時に押しているか判別しやすくなる。
【図面の簡単な説明】
【００４５】
【図１】第１の実施の形態を説明するためのキーボードの断面図である。
【図２】第１の実施の形態を説明するための押圧部の斜視図である。
【図３】第１の実施の形態を説明するためのキーボードの正面方向からの断面図である。
【図４】第１の実施の形態を説明するためのケースの斜視図である。
【図５】第１の実施の形態を説明するためのケースの断面図である。
【図６】第１の実施の形態を説明するためのキーボードのキー構造の斜視図である。
【図７】第１の実施の形態を説明するためのキートップの斜視図である。
【図８】第２の実施の形態を説明するためのキーボードの断面図である。
【図９】第２の実施の形態を説明するための被押圧部の斜視図である。
【図１０】第１，第２の実施の形態を説明するための電子機器の斜視図である。
【図１１】他の実施の形態を説明するための押圧部の斜視図である。
【図１２】他の実施の形態を説明するための被押圧部の斜視図である。
【図１３】他の実施の形態を説明するためのキートップの軸支構造の斜視図である。
【図１４】他の実施の形態を説明するためのキートップの斜視図である。
【符号の説明】
【００４６】
１  基板
２  スイッチパターン（スイッチ回路）
６  被押圧部
９  ケース
１１  第一の固定部（固定部）
１２  第二の固定部（固定部）
１３  軸芯
１４  キートップ
１８  第一のつめ部（つめ部）
１９  第二のつめ部（つめ部）
２０  押圧部
２１，２１´，１２１，１２１´  突起（接触部）
２２  プレート
【図１】
2007220405.tif 000003
【図２】
2007220405.tif 000004
【図３】
2007220405.tif 000005
【図４】
2007220405.tif 000006
【図５】
2007220405.tif 000007
【図６】
2007220405.tif 000008
【図７】
2007220405.tif 000009
【図８】
2007220405.tif 000010
【図９】
2007220405.tif 000011
【図１０】
2007220405.tif 000012
【図１１】
2007220405.tif 000013
【図１２】
2007220405.tif 000014
【図１３】
2007220405.tif 000015
【図１４】
2007220405.tif 000016